(57)【要約】【課題】呼び出しが発生した場合に、表示パネルに近づかなくても、どの患者が呼び出しを行ったか認識することが可能なナースコールシステムを提供する。【解決手段】患者によってトイレ・浴室用押しボタン１０３、ハンド型子機１０９あるいは握り押しボタン１１０が操作された場合に、ナースコール親機２が通知されるアドレス情報に基づいて、どこから呼び出しがあったのかを検出し、呼び出しが発生した場所や患者を示す情報をビデオプロジェクタ２００によりナースセンタで大写しするようにしたものである。【選択図】      図１
2005065948.tif 000002
【特許請求の範囲】
【請求項１】
情報を記憶する記憶手段と、
映像を投影する投影手段と、
前記記憶手段から情報を読み出し、この情報に基づく映像を前記投影手段に投影させる制御手段とを具備することを特徴とするナースコールシステム。
【請求項２】
患者または被介護者の呼出操作に応じて呼出子機から送信される呼出信号を受信する受信手段と、
映像を投影する投影手段と、
前記受信手段が呼出信号を受信した場合に、前記投影手段を制御して呼び出しが生じた旨を示す映像を投影させる制御手段とを具備することを特徴とするナースコールシステム。
【請求項３】
さらに、前記呼出子機の識別情報と、病室を識別する病室情報とを対応づけて記憶する記憶手段と、
前記呼出信号から前記呼出子機を識別する識別情報を検出する第１の検出手段と、
この第１の検出手段が検出した識別情報に対応づけられた病室情報を、前記記憶手段から検出する第２の検出手段とを備え、
前記制御手段は、前記第２の検出手段が検出した病室情報に基づく映像を、前記投影手段に投影させることを特徴とする請求項２に記載のナースコールシステム。
【請求項４】
さらに、前記呼出子機の識別情報と、患者を識別する患者情報とを対応づけて記憶する記憶手段と、
前記呼出信号から前記呼出子機を識別する識別情報を検出する第１の検出手段と、
この第１の検出手段が検出した識別情報に対応づけられた患者情報を、前記記憶手段から検出する第２の検出手段とを備え、
前記制御手段は、前記第２の検出手段が検出した患者情報に基づく映像を、前記投影手段に投影させることを特徴とする請求項２に記載のナースコールシステム。
【請求項５】
前記記憶手段が記憶する患者情報は、患者の氏名であることを特徴とする請求項４に記載のナースコールシステム。
【請求項６】
前記記憶手段が記憶する患者情報は、患者が利用する病床の識別情報であることを特徴とする請求項４に記載のナースコールシステム。
【請求項７】
患者または被介護者の呼出操作に応じて呼出子機から送信される呼出信号を受信する受信手段と、
映像を投影する投影手段と、
前記呼出子機の識別情報と、病室を識別する病室情報とを対応づけて記憶する記憶手段と、
前記呼出信号から前記呼出子機を識別する識別情報を検出する第１の検出手段と、
この第１の検出手段が検出した識別情報に対応づけられた病室情報を、前記記憶手段から検出する第２の検出手段と、
前記記憶手段が記憶する情報に基づいて、前記病室情報を一覧表示する映像を前記投影手段に投影させるものであって、前記受信手段が呼出信号を受信した場合に、前記第２の検出手段が検出した病室情報の病室で呼び出しが生じた旨を示す映像を投影させる制御手段とを具備することを特徴とするナースコールシステム。
【請求項８】
患者または被介護者の呼出操作に応じて呼出子機から送信される呼出信号を受信する受信手段と、
映像を投影する投影手段と、
前記呼出子機の識別情報と、患者の氏名とを対応づけて記憶する記憶手段と、
前記呼出信号から前記呼出子機を識別する識別情報を検出する第１の検出手段と、
この第１の検出手段が検出した識別情報に対応づけられた患者の氏名を、前記記憶手段から検出する第２の検出手段と、
前記記憶手段が記憶する情報に基づいて、前記患者の氏名を一覧表示する映像を前記投影手段に投影させるものであって、前記受信手段が呼出信号を受信した場合に、前記第２の検出手段が検出した患者から呼び出しが生じた旨を示す映像を投影させる制御手段とを具備することを特徴とするナースコールシステム。
【発明の詳細な説明】
【技術分野】
【０００１】
この発明は、病院などの施設において、患者や被介護者が看護師を呼び出すナースコールシステムに関する。
【背景技術】
【０００２】
周知のように、従来のナースコールシステムは、ＬＥＤ（Light Emitting Diode）などのランプと病床番号や患者名が対応づけられた表示パネルをナースセンタに設けておき、患者や被介護者から呼び出しが発生すると、上記ランプを点灯させて、呼び出しを行った患者を視覚的に認識できるようにしている。
【０００３】
しかしながら、従来のナースコールシステムでは、動きの多い看護師にとって、表示パネルの近傍で患者の呼び出しが生じることはまれであるため、看護師は呼び出しが生じる度に表示パネルが視認できる位置まで近づく必要があり、利便性が乏しかった（例えば、特許文献１参照）。
【０００４】
また近時、上述したような表示パネルに代わって、テレビモニタに種々の情報を表示させるナースコールシステムの開発が行われているが、テレビモニタであってもコスト的な問題もあってその大きさは限られており、上述したような問題は解決されていない。
【特許文献１】特開２００２−２９０５９２公報。
【発明の開示】
【発明が解決しようとする課題】
【０００５】
従来のナースコールシステムでは、表示パネルに近づいて、呼び出しを行った患者を確認する必要があり、利便性が低いという問題があった。  
この発明は上記の問題を解決すべくなされたもので、呼び出しが発生した場合に、表示パネルに近づかなくても、どの患者が呼び出しを行ったか認識することが可能なナースコールシステムを提供することを目的とする。
【課題を解決するための手段】
【０００６】
上記の目的を達成するために、この発明は、患者または被介護者の呼出操作に応じて呼出子機から送信される呼出信号を受信する受信手段と、映像を投影する投影手段と、受信手段が呼出信号を受信した場合に、投影手段を制御して呼び出しが生じた旨を示す映像を投影させる制御手段とを具備して構成するようにした。
【発明の効果】
【０００７】
この発明では、受信手段が患者や被介護者からの呼出信号を受信した場合に、投影手段を制御して呼び出しが生じた旨を示す映像を投影させるようにしている。  
したがって、この発明によれば、呼び出しが発生した場合に、呼び出しを示す映像をナースセンタの壁などに投影することができるので、表示パネルに近づかなくてもどの患者が呼び出しを行ったか認識することが可能なナースコールシステムを提供できる。
【発明を実施するための最良の形態】
【０００８】
以下、図面を参照して、この発明の一実施形態について説明する。  
図１は、この発明の一実施形態に係わるナースコールシステムの概略構成図である。なお、この実施形態では病棟に設置される看護支援用のナースコールシステムを例にとって説明する。
【０００９】
ナースコールシステムは、各病室にそれぞれ設置される病室ユニット１１〜１ｎと、ナースセンタに設置されるセンタ装置としてのナースコール親機２とを備え、これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Private Branch Exchange）４を備え、ハンディナースコール主装置３には無線ユニット６が接続され、またＰＢＸ４は公衆網５に接続される。
【００１０】
さらに、上記ナースコール親機２は、後述するビデオプロジェクタ２００が接続されるとともに、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１１】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００１２】
このうち、握り押しボタン１１０及びトイレ・浴室用押しボタン１０３は患者（あるいは被介護者）が看護師を呼び出す際に使用するもので、その操作信号はそれぞれ壁埋め込み型子機１０８又はＩ／Ｏユニット１０６を介して個別情報廊下灯１０７に伝えられる。また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出の発生を表示する。またそれと共に、呼出信号を生成してナースコール親機２へ送信する。呼出信号には、トイレ・浴室用押しボタン１０３、ハンド型子機１０９および握り押しボタン１１０にそれぞれ固有に割り振られたアドレス情報が挿入される。
【００１３】
マイクロホン１０１とスピーカ１０２、ハンド型子機１０９及び壁埋め込み型子機１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００１４】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ４が接続される。
【００１５】
ところで、ナースコール親機２は次のように構成される。図２はその機能構成を示すブロック図である。  
すなわち、ナースコール親機２は、制御部として例えばマイクロコンピュータを使用する中央処理ユニット（ＣＰＵ）２０を備える。このＣＰＵ２０には、プログラムメモリ２１及びデータメモリ２２が接続されており、さらに通信インタフェース２３，２４と、ネットワークインタフェース２５と、通話インタフェース２６と、入力表示インタフェース２７と、画像処理部２８がそれぞれ接続されている。
【００１６】
このうち通信インタフェース２３は、ＣＰＵ２０の制御の下、上記各病室ユニット１１〜１ｎとの間で信号の伝送を行う。同様に通信インタフェース２４は、ＣＰＵ２０の制御の下、上記ハンディナースコール主装置３との間で信号の送受信を行う。ネットワークインタフェース２５は、ＣＰＵ２０の制御の下、上記ＬＡＮ７との間で信号の送受信を行う。
【００１７】
通話インタフェース２６には、看護師が患者との間で通話を行うために使用するマイクロホン２６１及びスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００１８】
入力表示インタフェース２７には、タッチパネル／表示器２７１が接続される。タッチパネル／表示器２７１は、例えばＣＲＴ又はＬＣＤからなる表示器の表示画面上に透明感圧シートを貼付したもので、情報の表示機能と入力機能とを併せ持っている。入力表示インタフェース２７は、ＣＰＵ２０から供給された表示情報を上記タッチパネル／表示器２７１に表示すると共に、タッチパネル／表示器２７１において入力された操作情報をＣＰＵ２０に供給する。
【００１９】
画像処理部２８は、ＣＰＵ２０から与えられる指示および画像データに基づいて画像処理を実行し、ビデオ信号を生成し、これをビデオプロジェクタ２００に出力する。ビデオプロジェクタ２００は、上記ビデオ信号に基づく映像をナースセンタの壁や天井に投影する。ＣＰＵ２０から画像処理部２８に与えられる画像データとしては、タッチパネル／表示器２７１に表示している画像と同じものや、その一部の情報を表示する画像データなどがあり、表示内容の切り替えは、タッチパネル／表示器２７１を通じた指示によりＣＰＵ２０が行う。
【００２０】
プログラムメモリ２１は、ＣＰＵ２０の制御プログラムや制御データなどを記憶する。データメモリ２２は、トイレ・浴室用押しボタン１０３、ハンド型子機１０９および握り押しボタン１１０にそれぞれ固有に割り振られたアドレス情報に、トイレ・浴室番号や、病室番号と患者名とを組とする情報が対応づけられた呼出識別データを記憶するほかに、タッチパネル／表示器２７１やビデオプロジェクタ２００を通じて看護師や介護師に視覚的に示す画像データなどを記憶する。
【００２１】
次に、上記構成のナースコールシステムの動作について説明する。以下の説明では特に、患者によってトイレ・浴室用押しボタン１０３、ハンド型子機１０９あるいは握り押しボタン１１０が操作され、看護師や介護師に対して呼び出しが要求された場合の動作について説明する。図３は、この動作を説明するためのフローチャートで、ナースコール親機２のＣＰＵ２０によってなされ、トイレ・浴室用押しボタン１０３、ハンド型子機１０９あるいは握り押しボタン１１０が操作されると開始される。
【００２２】
まず、ステップ３ａにおいてＣＰＵ２０は、病室ユニット１１〜１ｎのいずれかより送られる呼出信号からアドレス情報を検出し、ステップ３ｂに移行する。ここでは例として、「山田太郎」氏が利用する３０２号室の握り押しボタン１１０が操作されたものとし、アドレス情報として３０２号室を示す情報が検出される。
【００２３】
ステップ３ｂにおいてＣＰＵ２０は、データメモリ２２の呼出識別データを参照し、ステップ３ａで検出した「３０２号室」を示すアドレス情報に対応づけられた呼出識別データ「３０２号室  山田太郎」を検出し、ステップ３ｃに移行する。
【００２４】
ステップ３ｃにおいてＣＰＵ２０は、入力表示インタフェース２７を通じてタッチパネル／表示器２７１に、３０２号室の山田太郎氏から呼び出しが生じたことを示す表示を行うとともに、画像処理部２８に対して呼出識別データ「３０２号室  山田太郎」を与え、これを表示させる指示を与え当該処理を終了する。
【００２５】
これにより、画像処理部２８は、呼出識別データ「３０２号室  山田太郎」に基づいて、このデータをテキスト画像として表示するビデオ信号を生成し、ビデオプロジェクタ２００に出力する。そして、ビデオプロジェクタ２００によって図４に示すような映像がナースセンタの壁などに投影される。
【００２６】
以上のように、上記構成のナースコールシステムでは、患者によってトイレ・浴室用押しボタン１０３、ハンド型子機１０９あるいは握り押しボタン１１０が操作された場合に、ナースコール親機２に通知されるアドレス情報に基づいて、どこから呼び出しがあったのかを検出し、呼び出しが発生した場所や患者を示す情報をビデオプロジェクタ２００によりナースセンタで大写しするようにしている。
【００２７】
したがって、上記構成のナースコールシステムによれば、呼び出しが発生した場合に、看護師や介護師はタッチパネル／表示器２７１に近づかなくても、ナースセンタの壁を見ることでどの患者が、あるいはどこから呼び出しを行ったか認識できる。
【００２８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２９】
その一例として例えば、上記実施の形態では、病室番号と患者名を表示する場合を例に挙げて説明したが、これに代わって例えば、図５に示すように、病室番号と患者名を対応づけて一覧できる従来の表示盤をイメージした画像を表示しておき、呼び出しがあった場合には、その病室番号と患者名に対応づけたランプが点滅するようなイメージの画像を表示するようにしてもよい。これらの画像データは、データメモリ２２に予め記録しておき、ＣＰＵ２０が前述のステップ３ａおよびステップ３ｂの処理を経て、画像処理部２８に上記画像データを与えることで実現できる。
【００３０】
また上記実施の形態では、病室番号と患者名を表示する場合を例に挙げて説明したが、これに代わって例えば、患者が利用する病床番号を表示するようにしてもよい。  
その他、この発明の要旨を逸脱しない範囲で種々の変形を施しても同様に実施可能であることはいうまでもない。
【図面の簡単な説明】
【００３１】
【図１】この発明に係わるナースコールシステムの一実施の形態の概略構成を示す図。
【図２】図１に示したナースコールシステムのナースコール親機の構成を示す回路ブロック図。
【図３】図２に示したナースコール親機のＣＰＵによってなされる処理を説明するためのフローチャート。
【図４】図３に示した処理により、ビデオプロジェクタが呼び出しを報知する画像を投影する様子を示す図。
【図５】図３に示した処理により、ビデオプロジェクタが呼び出しを報知する画像を投影する様子を示す図。
【符号の説明】
【００３２】
１１〜１ｎ…病室ユニット、１０１…マイクロホン、１０２…スピーカ、１０３…トイレ・浴室用押しボタン、１０４…代表廊下灯、１０５…復旧ボタン、１０６…Ｉ／Ｏユニット、１０７…個別情報廊下灯、１０８…壁埋め込み型子機、１０９…ハンド型子機、１１０…握り押しボタン、２…ナースコール親機、３…ハンディナースコール主装置、４…ＰＢＸ、５…公衆網、６…無線ユニット、６１，６２…無線基地局、７１〜７ｍ…携帯端末、７…ＬＡＮ、８…ハブ、９…看護支援サーバ、１０…プリンタ、２００…ビデオプロジェクタ、２０…ＣＰＵ、２１…プログラムメモリ、２２…データメモリ、２３，２４…通信インタフェース、２５…ネットワークインタフェース、２６…通話インタフェース、２６１…マイクロホン、２６２…スピーカ、２７…入力表示インタフェース、２７１…タッチパネル／表示器、２８…画像処理部。
【図１】
2005065948.tif 000003
【図２】
2005065948.tif 000004
【図３】
2005065948.tif 000005
【図４】
2005065948.tif 000006
【図５】
2005065948.tif 000007